(57)【要約】【課題】ヘッド部を適切な支持状態及び形状として、肌に確実にヘッド部を当接させて美容動作を実行でき、優れた美容効果を得られる美容装置を提供する。【解決手段】本体部の一端側寄りに上方に突出状態で配設されたヘッド部と、本体部の他端側に形成された把持部と、前記ヘッド部の動作状態を調整制御する制御部とを備え、使用者が前記把持部を把持して皮膚に対し前記ヘッド部で所定の美容動作を実行する美容装置において、  前記ヘッド部は横断面が多角形の側面と曲面状の頂面からなる形状であって、前記側面の上方の丸み面取り形状の曲率を他端側より一端側を小さくさせた。【選択図】図１５
2015157092.tif 000002
【特許請求の範囲】
【請求項１】
本体部の一端側寄りに上方に突出状態で配設されたヘッド部と、本体部の他端側に形成された把持部と、前記ヘッド部の動作状態を調整制御する制御部とを備え、使用者が前記把持部を把持して皮膚に対し前記ヘッド部で所定の美容動作を実行する美容装置において、
前記ヘッド部は横断面が多角形の側面と、曲面状の頂面からなる形状であって、前記側面の上方の丸み面取り形状の曲率を他端側より一端側を小さくさせた。
【発明の詳細な説明】
【技術分野】
【０００１】
本発明は、使用者の皮膚に対し所定の美容効果を与える美容装置に関する。なお、本発明で美容効果を与える対象としての「皮膚」と共に用いる「肌」の語は、体表面のみでなく皮下脂肪等の皮下組織を含む体表層の「皮膚」と同義のものとして扱っている。
【背景技術】
【０００２】
使用者の顔等の肌（皮膚）に対し所定の美容・美肌に係る各種動作を実行する美容機器は、家庭で用いられる簡易な単機能、低出力のものから、業務用として用いられる多機能、高出力のものまで、様々な種類のものが利用されている。こうした美容機器のうち、家庭等で用いられる簡易なものとしては、肌を冷したり加熱したりするもの、肌に対し吸引を行うもの、肌にスチームやミストを当てるもの、肌に光を照射するもの、肌に超音波による振動を伝えるもの、肌に微弱電流を流してイオン導入（イオントフォレーシス）を行うものなどが一般的に使用されている。
【０００３】
この中で、肌にとっての各種有効成分を肌に深く浸透させるという優れた効果が得られるイオン導入法を用いた機器は近年注目を集めており、そうした従来の美容機器の一例として、特開２００５−２３７５４５号公報や特開２００５−２４５５２１号公報に開示されるものがある。
【先行技術文献】
【特許文献】
【０００４】
【特許文献１】特開２００５−２３７５４５号公報
【特許文献２】特開２００５−２４５５２１号公報
【発明の概要】
【発明が解決しようとする課題】
【０００５】
従来の美容機器は前記各特許文献に示される構成となっており、こうしたイオン導入を行う機器をはじめとして、皮膚に蓄積している有害成分や老廃物を除去するクレンジング用の機器や、皮膚の血行促進を図りマッサージ効果を与える機器、皮膚の引上げ（リフティング）効果を与える機器などでは、通常、機器本体部分から突出したヘッド部を、直接又はコットンパフ等を介して顔など美容対象の肌に当てた上で、肌に対し通電したり、肌に熱や超音波振動を伝えたりすることとなる。
【０００６】
前記従来の各種美容機器のヘッド部は、一般に突出方向先端側の円形状とされる先端面を肌に当接させる仕組みとなっており、このヘッド部は機器本体部分と固定されていることから、手で持つ機器本体部分に加えた力が、ヘッド部からそのまま肌に加わることとなり、特にヘッド部を肌に密着させようとして強く押付けると、そのままその押付け力が肌に加わるため、肌に負担がかかるという課題を有していた。
【０００７】
また、美容対象箇所を変えるためにヘッド部を肌に沿って移動させる際、そのまま機器全体を動かそうとしても、固定されているヘッド部は肌に沿いにくく、ちょうどよい接触状態になるよう全体の位置を調整しながら動かす必要があることに加え、それほど大きくないヘッド部先端面から肌へ圧力が集中的に加わり、ヘッド部が肌に食込むようになることで、ヘッド部と肌との摩擦が大きくなり、ヘッド部をスムーズに動かしにくく、使い勝手が悪いという課題を有していた。
【０００８】
また、顔を対象とする場合、顔のどの位置に対しても、ヘッド部の円形状の先端面を当接させるようにしていたことから、特に、鼻側面などの肌の隆起部分や、鼻と頬の境界部分などの肌の凹状の隅部には、ヘッド部を密着させにくく、こうした箇所へ適切に美容の効果を与えることができないという課題を有していた。
【０００９】
本発明は前記課題を解消するためになされたもので、ヘッド部を適切な支持状態及び形状として、肌に確実にヘッド部を当接させて美容動作を実行でき、優れた美容効果を得られる美容装置を提供することを目的とする。
【課題を解決するための手段】
【００１０】
本発明に係る美容装置は、使用者により保持される本体部と、当該本体部の一部に突出状態で配設されるヘッド部と、前記ヘッド部の動作状態を調整制御する制御部とを備え、使用者の皮膚に対しヘッド部で所定の美容動作を実行する美容装置において、前記ヘッド部が、突出方向先端側に位置する頂面、及び側面を有する凸形状とされ、本体部との間に弾性体を介在させて、少なくとも本体部からの突出方向と平行な向きに所定範囲可動状態で弾性支持されるものである。
【００１１】
このように本発明によれば、凸形状のヘッド部を本体部に弾性支持された状態とし、ヘッド部を使用者の皮膚に当接させると、本体部が少し動いて皮膚との位置関係が変化したとしても、ヘッド部は本体部に対して相対的に変位しつつ、使用者の皮膚に対しては適度な接触状態を維持することにより、ヘッド部が過剰な押付け状態とならず、皮膚とヘッド部との摩擦を抑えて、皮膚に対しヘッド部を移動させる際にヘッド部が皮膚に引っかかったり、ヘッド部が皮膚を擦ったりしにくい状態が得られ、皮膚への負担を軽減できると共に、ヘッド部と皮膚との位置関係を維持しやすく、使用者はヘッド部を皮膚に当接させるように本体部を注意深く微調整しながら支持する必要はなく、容易に使用できる。また、美容に係る動作の対象となる皮膚のうち、例えば鼻の側面部分など、ヘッド部の頂面を近接させにくい箇所に対しては、ヘッド部における側面を当接させることができ、使用者はヘッド部各部を有効に活用して本体部を無理な姿勢で保持したり持替えたりせずに済み、使い勝手の点で優れる。
【００１２】
また、本発明に係る美容装置は必要に応じて、前記ヘッド部の内側に、前記弾性体により、本体部に対しヘッド部の突出方向と平行な向きに所定範囲可動状態で弾性支持されるヘッド支持部を備え、前記ヘッド部が、前記ヘッド支持部に、前記頂面に近いヘッド部内側の所定箇所で接触又は係合し、当該所定箇所を傾動中心位置としてヘッド支持部に対し所定角度範囲で傾動可能に設けられるものである。
【００１３】
このように本発明によれば、ヘッド部が頂面近くで本体部からは離れた箇所を中心として傾動可能とされて、ヘッド部を使用者の皮膚に当接させた状態では、使用者の本体部を動かす操作力に伴ってヘッド部を移動させようとする力が、ヘッド部の移動に伴って皮膚からヘッド部に相対的に加わる反力に比べ、ヘッド部の傾動により大きく関わり、皮膚からヘッド部に加わる反力は、皮膚に対するヘッド部の移動に伴う抵抗力をより小さくするようにヘッド部を傾ける、すなわち、ヘッド部を皮膚に食込ませず頂面を皮膚に正対させるようにヘッド部を傾けるのみとなることにより、ヘッド部を皮膚に沿って動かす際には、皮膚の傾きの変化にヘッド部頂面を追随させられ、頂面を皮膚に沿わせることができ、皮膚とヘッド部との接触面積を十分に確保して、ヘッド部を移動させながらでも、ヘッド部の静止状態と変わりない美容効果を容易に得られる。また、ヘッド部が頂面から離れて本体部に近い箇所を中心として傾動可能とされた場合のように、操作力に伴ってヘッド部を移動させようとする力と、ヘッド部の移動に伴って皮膚からヘッド部に相対的に加わる反力とが共に、ヘッド部を移動方向と逆向きに傾けるように作用して、ヘッド部が皮膚に食込む状態となるのを、確実に防止して皮膚への負担を抑えられる。
【００１４】
また、本発明に係る美容装置は必要に応じて、前記ヘッド部が、略円錐台形状とされ、円錐台中心軸周りに回動可能として本体部に支持されるものである。
【００１５】
このように本発明によれば、ヘッド部を本体部に対し回動可能とし、ヘッド部の頂面中心部以外の箇所を使用者の皮膚に当接させた状態で、使用者が本体部を動かしてヘッド部を移動させようとすると、ヘッド部は皮膚から受ける摩擦抵抗力に伴って生じる回転モーメントで回動し、ヘッド部は皮膚に対し転がり接触する状態となることにより、ヘッド部の皮膚への引っかかりや擦れを生じさせずに、確実に皮膚に当接させることができ、ヘッド部を移動させながらでも皮膚に負担をかけずに美容効果を発揮させられる。また、ヘッド部が皮膚に対し転がり接触して接触位置を変化させていくことで、ヘッド部の同じ箇所が集中的に使用されることがなくなり、ヘッド部の各部位を均等に使用でき、ヘッド部の劣化を抑えられる。さらに、多孔質被覆体をヘッド部表面に配設して用いる場合には、多孔質被覆体が皮膚に対し転がり接触して接触位置を変化させていくことで、多孔質被覆体の同じ箇所が集中的に使用されて皮膚の汚れ成分が過度に付着する状態とならず、多孔質被覆体の清浄な部位を最大限に使用して、多孔質被覆体の併用による美容に係る機能を適切に発揮させられる。
【００１６】
また、本発明に係る美容装置は必要に応じて、前記ヘッド部が、頂面における本体部の長手方向の端部となる縦縁部、及び本体部の長手方向と直交する方向の端部となる横縁部における、それぞれ側面との交差部を丸み面取り形状とされ、前記横縁部と側面との交差部の丸み面取り形状の曲率に対し、縦縁部と側面との交差部の丸み面取り形状の曲率を小さくするものである。
【００１７】
このように本発明によれば、ヘッド部の頂面の縦縁部から側面に至る丸み面取り形状を、横縁部から側面に至る丸み面取り形状に対し曲率の小さい緩やかな丸みとし、ヘッド部の頂面と側面部との交差部における丸み面取り形状を、位置に応じた二通りとして異ならせることにより、本体部とヘッド部との位置関係で、皮膚における隆起部と平坦部の境界となる凹状の隅部、例えば鼻と頬との境界部分における皮膚の隅部、に当接させやすいヘッド部の横縁部側の角部分を、より曲率の大きい丸み面取り形状として、この鋭い丸みを隅部の奥まで確実に到達させて当接させられ、美容動作の対象箇所の隅々まで美容効果を与えられる。また、ヘッド部の縦縁部側の角部分はより曲率の小さい緩やかな丸み面取り形状として、緩やかな丸みがヘッド部の頂部を皮膚に当接させる際の接触を滑らかなものとし、ヘッド部の接触感を良好なものとすることができる。
【００１８】
また、本発明に係る美容装置は必要に応じて、前記ヘッド部の側面が、ヘッド部の突出方向中間位置でヘッド部内側に向かって凹んだ丸みのある曲面として形成されるものである。
【００１９】
このように本発明によれば、ヘッド部の側面形状を、中間でヘッド部内側に向かって凹んだ丸みのある曲面状とし、ヘッド部の側面が皮膚の丸みを帯びた立体形状にちょうど合致して接触できることにより、美容対象箇所における隆起部分の皮膚、例えば鼻の側部の、丸みを帯びた曲面状の皮膚に対し、ヘッド部側面の凹状の丸みが沿いやすく、ヘッド部表面の皮膚へのフィット性を高めることができ、ヘッド部と皮膚との接触面積を十分に確保して肌への美容効果をより効率よく与えられる。
【００２０】
また、本発明に係る美容装置は必要に応じて、前記ヘッド部が、少なくとも頂面に一又は複数の凹部を設けられるものである。
【００２１】
このように本発明によれば、ヘッド部の頂面に一又は複数の凹部が設けられ、ヘッド部を使用者の皮膚に当接させた状態で、凹部位置で頂面が皮膚と接触せず浮いた状態となることにより、ヘッド部を皮膚に当接させる際に、皮膚と接触する部分と同時に、皮膚と接触せず皮膚からの圧力がかからない部分を配置できることとなり、化粧水等の液剤が皮膚に塗布された状態で、ヘッド部を皮膚に当てても、ヘッド部と皮膚との間に入り込んだ液剤が圧力のかからない凹部で保持されて、液剤がヘッド部と皮膚との間から押出されて全て失われることが無くなり、ヘッド部の当接状態でも皮膚を化粧水等による潤いのある状態に維持でき、効率よく美容効果を与えられると共に、化粧水等の流れ落ちによる消耗を抑え、化粧水等を無駄なく有効に利用できる。
【００２２】
また、本発明に係る美容装置は必要に応じて、前記本体部の使用者による把持部分に配設される導電性材料製の補助電極部と、前記本体部のヘッド部近傍に配設され、本体部との間に電解質を含む液剤を含浸可能な多孔質被覆体の一部を挟んで、当該多孔質被覆体をヘッド部表面に着脱可能に保持する保持部とを備え、前記ヘッド部が、導電性を有する材料で形成されて、通電用の電極とされ、前記制御部が、前記ヘッド部と補助電極部間での前記多孔質被覆体及び使用者を介した通電状態を調整制御して、使用者の皮膚に対し美容に係る所定の通電動作を実行するものである。
【００２３】
このように本発明によれば、ヘッド部表面に多孔質被覆体を配置した状態で保持部を本体部に取付けて、ヘッド部表面に多孔質被覆体を保持し、制御部でヘッド部と補助電極部間を通電状態として、多孔質被覆体を介して皮膚への通電を実行することにより、保持部と本体部間に挟持されて保持された多孔質被覆体が、弾性支持されたヘッド部を本体部側に押下げる分、弾性力に伴う反力でヘッド部が多孔質被覆体を相対的に押して多孔質被覆体に張りを与えられ、多孔質被覆体を皺等無く伸した状態でヘッド部表面に密着させられると共に、この伸した状態で皮膚に当接させることができ、多孔質被覆体のヘッド部及び皮膚との接触面積を無理なく十分に確保して、多孔質被覆体を介した皮膚への通電を効率よく実行でき、多孔質被覆体を用いたイオン導入やクレンジング等の通電に係る美容動作をスムーズに進められる。
【００２４】
また、本発明に係る美容装置は必要に応じて、前記本体部の使用者による把持部分に配設される導電性材料製の補助電極部と、前記ヘッド部の側面の外側に着脱可能に取付けられ、ヘッド部側面との間に電解質を含む液剤を含浸可能な多孔質被覆体の一部を挟んで、当該多孔質被覆体をヘッド部表面に着脱可能に保持する保持部とを備え、前記ヘッド部が、導電性を有する材料で形成されて、通電用の電極とされ、前記制御部が、前記ヘッド部と補助電極部間での前記多孔質被覆体及び使用者を介した通電状態を調整制御して、使用者の皮膚に対し美容に係る所定の通電動作を実行するものである。
【００２５】
このように本発明によれば、多孔質被覆体を配置したヘッド部に保持部を取付けて、ヘッド部表面に多孔質被覆体をヘッド部と共に可動な状態として保持し、制御部でヘッド部と補助電極部間を通電状態として、多孔質被覆体を介して皮膚への通電を実行することにより、多孔質被覆体を介してヘッド部を使用者の皮膚に当接させた状態で、本体部が少し動いて皮膚との位置関係が変化したとしても、ヘッド部は多孔質被覆体と共に、本体部に対し相対的に変位しつつ、使用者の皮膚に対しては多孔質被覆体の適度な接触状態を維持し、多孔質被覆体を過剰な押付け状態とせずに通電を行うことができ、多孔質被覆体を介した通電に係る美容動作において、皮膚に対しヘッド部を移動させる際に多孔質被覆体が皮膚に引っかかったり、多孔質被覆体が皮膚を擦ったりしにくい状態が得られ、皮膚への負担を軽減できると共に、ヘッド部及び多孔質被覆体と皮膚との位置関係を維持しやすく、使用者は多孔質被覆体を皮膚に常に当接させるように本体部を注意深く微調整しながら支持する必要はなく、多孔質被覆体を容易且つ適切に皮膚へ当接させて通電を実行でき、多孔質被覆体を用いたイオン導入やクレンジング等の通電に係る美容動作による効果を広い範囲の皮膚に効率よく与えられる。
【図面の簡単な説明】
【００２６】
【図１】本発明の第１の実施形態に係る美容装置の斜視図である。
【図２】本発明の第１の実施形態に係る美容装置の背面図である。
【図３】本発明の第１の実施形態に係る美容装置のブロック図である。
【図４】本発明の第１の実施形態に係る美容装置におけるヘッド部の正面図、平面図、及び右側面図である。
【図５】本発明の第１の実施形態に係る美容装置における保持部の傾動状態説明図である。
【図６】本発明の第１の実施形態に係る美容装置における保持部の多孔質被覆体保持状態説明図である。
【図７】本発明の第１の実施形態に係る美容装置におけるヘッド部の弾性支持状態説明図である。
【図８】本発明の第１の実施形態に係る美容装置におけるヘッド部及び比較例の各肌に対する傾き状態説明図である。
【図９】本発明の第１の実施形態に係る美容装置におけるヘッド部の多孔質被覆体を介した肌正対状態及び傾き状態の説明図である。
【図１０】本発明の第１の実施形態に係る美容装置におけるヘッド部の多孔質被覆体を介した肌隅部当接状態説明図である。
【図１１】本発明の第１の実施形態に係る美容装置における他のヘッド部の正面図、平面図、及び右側面図である。
【図１２】本発明の第１の実施形態に係る美容装置における他のヘッド部の鼻側部当接状態説明図である。
【図１３】本発明の第２の実施形態に係る美容装置の斜視図及び正面図である。
【図１４】本発明の第２の実施形態に係る美容装置の保持部取外し状態右側面図及び収納時における保持部装着状態説明図である。
【図１５】本発明の第３の実施形態に係る美容装置におけるヘッド部の正面図、平面図、及び右側面図である。
【図１６】本発明の第４の実施形態に係る美容装置におけるヘッド部の斜視図、正面図、及びＡ−Ａ断面図である。
【図１７】本発明の第４の実施形態に係る美容装置におけるヘッド部と肌間への化粧水保持状態説明図である。
【図１８】本発明の第４の実施形態に係る美容装置におけるヘッド部の第一の他例の斜視図、正面図、及びＢ−Ｂ断面図である。
【図１９】本発明の第４の実施形態に係る美容装置におけるヘッド部の第二の他例の斜視図、正面図、及びＣ−Ｃ断面図である。
【図２０】本発明の第４の実施形態に係る美容装置におけるヘッド部の第三の他例の斜視図、正面図、及び平面図である。
【図２１】本発明の第４の実施形態に係る美容装置におけるヘッド部の第四の他例の正面図、平面図、及びＤ−Ｄ断面図である。
【図２２】本発明の第４の実施形態に係る美容装置におけるヘッド部の第五及び第六の他例の各正面図である。
【図２３】本発明の第５の実施形態に係る美容装置の斜視図である。
【図２４】本発明の第５の実施形態に係る美容装置におけるヘッド部の正面図、平面図、及び右側面図である。
【図２５】本発明の第５の実施形態に係る美容装置の多孔質被覆体取付状態の右側面図である。
【図２６】本発明の第５の実施形態に係る美容装置における保持部の多孔質被覆体保持状態説明図である。
【図２７】本発明の第５の実施形態に係る美容装置におけるヘッド部の多孔質被覆体を介した肌当接状態及びヘッド部の直接の肌当接状態の各説明図である。
【図２８】本発明の第５の実施形態に係る美容装置におけるヘッド部の回動状態説明図である。
【図２９】本発明の第５の実施形態に係る美容装置における他のヘッド部への保持部及び別の保持部による多孔質被覆体の各保持状態説明図である。
【発明を実施するための形態】
【００２７】
（本発明の第１の実施形態）
以下、本発明の第１の実施形態に係る美容装置を前記図１ないし図１０に基づいて説明する。
【００２８】
前記各図において本実施形態に係る美容装置１は、使用者により保持される本体部１１と、本体部１１の端部寄りに配設されて肌（皮膚）５０に対するイオン導入等の美容動作に用いられるヘッド部１２と、本体部１１内に配設されてヘッド部１２を弾性支持する弾性体としてのばね１４と、本体部１１における使用者による把持部分に配設される補助電極部１１ｃと、ヘッド部１２に対して多孔質被覆体１３を保持する保持部１５と、本体部１１内に配設されてヘッド部１２と補助電極部１１ｃ間での使用者を介した通電状態を調整制御する制御部１６とを備える構成である。
【００２９】
前記本体部１１は、前記ヘッド部１２が一端寄りに突出状態で配設される一方、他端側所定長さ範囲は使用者が使用時に手で把持して装置全体を保持するのに適した太さの把持部１１ａとされてなり、この把持部１１ａの長手方向とヘッド部１２の正面方向とが所定角度分傾いた形状として形成され、内部には前記制御部１６等の電気回路や電源としての電池（図示を省略）を配設される構成である。
【００３０】
また、ヘッド部１２の無い本体部１１背面側には、使用者の入力操作を受けて美容動作のＯＮ、ＯＦＦや動作の種類、強弱等を切換える操作部１１ｂが配設される。そして、本体部１１における把持部１１ａの側面には、導電性部材からなり制御部１６と接続された補助電極部１１ｃが配設され、、使用者が把持部１１ａを把持するとその手指と補助電極部１１ｃとが接触することとなる。この本体部１１には、バイブレータ等の振動源を内蔵して、通電と共に肌７０に振動を付加し、美容効果を高められるようにすることもできる。
【００３１】
さらに、本体部１１におけるヘッド部１２のある正面側には、前記保持部１５が本体部１１に対し傾動可能として取付けられる構成である。この本体部１１における保持部１５の取付部分は、本体部１１の内部とは完全に遮断されており、この部分からイオン導入用の液剤等が内部に浸入することを防止できる。
【００３２】
前記ヘッド部１２は、金属等の導電性を有する材質からなり、凸形状、具体的には、肌７０に面接触可能な緩やかな曲面状の頂面１２ａと傾斜した側面１２ｂとを有する略楕円錐台形状とされ、頂面側を先端として本体部１１の一端部正面側から突出させて配設される構成であり、肌７０に直接、又は多孔質被覆体１３を介して当接し、肌７０に対しイオン導入をはじめとする通電に係る美容動作を実行するものである。
【００３３】
このヘッド部１２は、楕円形状の頂面１２ａにおける楕円長軸方向、すなわち本体部１１の長手方向、の端部となる縦縁部１２ｃ、及び楕円短軸方向、すなわち本体部１１の長手方向と直交する方向、の端部となる横縁部１２ｄにおける、それぞれ側面との交差部を丸み面取り形状とされる構成である。そして、横縁部１２ｄと側面との交差部の丸み面取り形状の曲率に対し、縦縁部１２ｃと側面との交差部の丸み面取り形状の曲率が小さく（丸み半径を大きく）されてなる（図４参照）。
【００３４】
ヘッド部１２の内側では、ヘッド部１２と本体部１１との間に前記弾性体としてのばね１４が介設されると共に、前記ヘッド支持部として、棒状の支持軸部１４ａが本体部１１にヘッド部１２の突出方向と平行な向きに所定範囲進退可能として取付けられる。この支持軸部１４ａは、ばね１４で本体部１１から遠ざかる向きに付勢されている。ヘッド部１２は、内側における頂面１２ａに近い裏面中央の支点部１２ｆで、支持軸部１４ａの先端と摺動可能に当接し、この支持軸部１４ａを介してばね１４により本体部１１から遠ざかる向きに付勢されつつ弾性支持される（図７参照）と共に、支持軸部１４ａ及び本体部１１に対し傾動可能とされる（図８（Ａ）、図９（Ｂ）参照）。
【００３５】
このように、ヘッド部１２を、頂面１２ａ近くで本体部１１からは離れた支点部１２ｆを中心として傾動可能とすることに伴い、ヘッド部１２を肌７０に当接させた状態では、使用者の本体部１１を動かす操作力に伴ってヘッド部１２を移動させようとする力が、ヘッド部１２の移動に伴って肌７０からヘッド部１２に相対的に加わる反力に比べ、ヘッド部１２の傾動により大きく関わり、肌７０からヘッド部１２に加わる反力は、肌７０に対するヘッド部１２の移動に伴う抵抗力をより小さくするようにヘッド部１２を傾ける、すなわち、ヘッド部１２をその頂面１２ａが肌７０に正対するように傾けるのみとなる（図８（Ａ）参照）。
【００３６】
このため、ヘッド部１２を肌７０に沿って動かす際には、肌７０の傾きの変化にヘッド部頂面１２ａを追随させられ、頂面１２ａを常に肌７０に沿わせることができ、肌７０とヘッド部１２との接触面積を十分に確保して、ヘッド部１２を移動させながらでも、ヘッド部１２を動かさずに使用する状態と変わりない美容効果を容易に得られる。これに対し、図８（Ｂ）に比較例として示すように、仮にヘッド部１８が頂面１８ａから離れて本体部１７に近い箇所を中心として傾動可能とされた場合、操作力に伴ってヘッド部１８を移動させようとする力と、ヘッド部１８の移動に伴って肌７０からヘッド部１８に相対的に加わる反力とが共に、ヘッド部１８を移動方向と逆向きに傾けるように作用して、ヘッド部１８が肌７０に食込む状態となってしまう。本実施形態のようにヘッド部１２を頂面１２ａ近くの支点部１２ｆを中心として傾動可能とすることで、こうしたヘッド部の肌への食込みを確実に防止して、肌への負担を抑えられる。
【００３７】
ヘッド部１２における錐台底面側の縁部は、他部分より外径を若干大きくした鍔状とされて、本体部１１内に収められ、この本体部１１におけるヘッド部１２を一部収る空隙部分の入口開口部分がヘッド部１２の底面側縁部より小口径とされることで、ヘッド部１２の本体部１１からの離脱が防止される仕組みである。また、こうしてヘッド部１２の錐台底面側の縁部が本体部１１に拘束されることで、ばね１４で本体部１１から遠ざかる向きに付勢されるヘッド部１２の突出方向への移動範囲や、ヘッド部１２の支持軸部１４ａに対する傾動角度範囲が制限される仕組みである。
【００３８】
また、ヘッド部１２は、本体部１１内で制御部１６と電気的に接続されており、把持部１１ａにある補助電極部１１ｃとの間で使用者の体を介して通電可能とされる構成である。なお、ばね１４や支持軸部１４ａが導電性の材質からなる場合、こうしたばね１４や支持軸部１４ａを本体部１１側からヘッド部１２への通電用配線の一部として利用する構成としてもかまわない。
【００３９】
通電については、制御部１６によりヘッド部１２と補助電極部１１ｃ間に電圧が加えられて通電が起こり得る状態とされた上で、電解質成分を含む化粧水等の液剤が含浸した多孔質被覆体１３を介して、又は直接、ヘッド部１２が顔等の肌７０に接触し、また補助電極部１１ｃが把持部１１ａを持つ掌や手の指等と接触すると、ヘッド部１２と補助電極部１１ｃとが使用者の体を介して通電状態となる仕組みである。この場合、人体が導体をなすこととなる。ヘッド部１２と補助電極部１１ｃは十分離れており、補助電極部１１ｃに触れた手等がヘッド部１２に誤って接して、通電が生じるようなことはない。
【００４０】
このヘッド部１２の接する肌７０への通電に伴って、あらかじめ肌表面に塗布したか、多孔質被覆体１３に染込ませたかした化粧水等の液剤中に含まれるイオン性の有効成分を、制御部１６からの電流に基づくイオン移動によって肌内部に導入するイオン導入（イオントフォレーシス）を実行できる仕組みである。このイオン導入の手法自体は公知のものであり、詳細な説明を省略する。
【００４１】
また、洗顔時のクレンジングとして、帯電した老廃物等の汚れ成分を通電により肌側からヘッド部１２側に移行させ、多孔質被覆体１３に取込む状態を得ることもできる。
【００４２】
多孔質被覆体１３は、カット綿やコットンパフ等と同様の脱脂等加工した綿繊維をヘッド部１２より大きい不織シート状に成形してヘッド部１２を覆うカバーとして用いるものであり、化粧水等を十分吸収してそのまま保持できる性質を備える。なお、この多孔質被覆体１３は、化粧水等を含浸可能で可撓性を有する多孔質の軟質シート状のものであれば、コットン以外のものも利用できる。
【００４３】
このヘッド部１２は、イオン導入等を行う関係上、チタン等の通電に対し安定した材質を用いるのが望ましい。すなわち、仮にヘッド部１２をクロム等のメッキ表面とした場合、イオン導入の際、電気分解によりヘッド部１２の表面に金属イオンが溶出し、この溶出金属イオンが皮膚に対して悪影響を与えるという問題を生じるが、安定性の高いチタンを電極表面に用いれば、通電を経てもヘッド部１２での電気分解によりチタンの金属イオンが溶出することはなく、安全に使用できる。この電極表面材料は、純チタンが望ましいものの、チタン化合物であってもよい。また、チタン以外に金などの金属を用いる他、導電性樹脂や導電性ゴム、あるいはゴム等の弾性体表面に金属等の導体を貼付けたり導体の薄膜を配置して形成した構造とすることもできる。
【００４４】
前記保持部１５は、本体部１１の正面側に沿って本体部１１の一部を覆う形状として形成され、一端部にヘッド部１２を露出させる開口孔１５ａを設けられ、他端部を傾動中心として本体部１１他端部に傾動可能に取付けられ、本体部１１正面側に重なり合う位置から、ヘッド部１２から離れて本体部１１から突出状態となる位置まで傾動可能とされる構成である。この保持部１５は、本体部１１の補助電極部１１ｃを覆わない形状であればよく、例えば、ヘッド部周辺以外は極めて幅の狭い略棒状のものでもかまわない。
【００４５】
この保持部１５の開口孔１５ａは、ヘッド部１２よりも一回り大きな楕円形状または長円形状の孔とされ、保持部１５を傾動させるとヘッド部１２が相対的に保持部１５の開口孔１５ａを出入りする状態となる。保持部１５を本体部１１に重なる位置まで傾動させると、ヘッド部１２は保持部１５の開口孔１５ａから前方へ突出することとなり、ヘッド部１２を肌７０に当てる際に、より後方の保持部１５は肌７０に触れにくい状態となる。
【００４６】
開口孔１５ａの縁には本体部１１側に向って突出する突起１５ｂが形成される。この突起１５ｂは開口孔１５ａの縁に沿って連続させる他、断続形状や波状となっているものでもよい。
【００４７】
この保持部１５を、ヘッド部１２から離れる向きに傾動させて本体部１１の正面側に突出状態となる位置（図５参照）とした上で、ヘッド部１２の頂面１２ａを覆うようにして多孔質被覆体１３をヘッド部表面に位置させ、さらに保持部１５を本体部１１に対しヘッド部１２に接近するように傾動させて、本体部１１に重ね合せると、多孔質被覆体１３の周縁部分が保持部１５と本体部１１との間に挟まれて多孔質被覆体１３が容易に離脱しない状態となり（図６参照）、多孔質被覆体１３をヘッド部１２表面に位置させた状態で保持できる仕組みである。使用状態では、本体部１１の把持部１１ａと保持部１５とを使用者がまとめて把持することで、保持部１５と本体部１１が離れることはなく、これらに挟まれた多孔質被覆体１３を確実に保持することができる。
【００４８】
この保持部１５の傾動中心から開口孔１５ａまでの長さは、できるだけ長く設定し、ヘッド部１２が開口孔１５ａに進入して保持部１５が本体部１１に重なり合う際の、本体部１１に対する保持部１５の傾斜角度をなるべく小さくして、本体部１１に対して保持部１５を略平行に押し付けて多孔質被覆体１３を均等に保持する状態が得られるようにしている。
【００４９】
前記制御部１６は、本体部１１に内蔵され、使用者の操作部１１ｂへの入力操作を受けて、ヘッド部１２と補助電極部１１ｃ間の通電を、それぞれ制御するものである。この制御部１６は美容用途ごとに通電動作のモードを設定しており、本実施形態においては、皮膚に蓄積している有害成分や老廃物を除去するクレンジングモード、皮膚の深部に化粧水等の有効成分を浸透させるイオン導入モード、及び、通電時の電極極性を切替えて皮膚の血行を促す血行促進モードの三つがある。
【００５０】
これらクレンジングモードとイオン導入モード、血行促進モードでは、ヘッド部１２と補助電極部１１ｃ間を通電状態とする点は共通するものの、通電の際の電流の向きや波形が異なることとなる。また、血行促進モードには、同様の通電波形ながら通電時間が異なるマッサージとリフティングの二つのモードがあり、マッサージモードは主にクレンジングモードの後で通電により皮膚の血行促進やその弾力性の維持を図るものであり、一方、リフティングモードは、主にイオン導入モードの後で通電により皮膚の血行促進や有効成分の定着、浸透を図りつつ、皮膚の引上げ効果を生じさせるものである。
【００５１】
これら通電動作のモードの切替えは、操作部１１ｂのモード切替スイッチ１１ｄに対する使用者の入力操作に基づいて行われる。電源投入直後、使用者が最初にモード切替スイッチ１１ｄを操作すると、制御部１６はクレンジングモード、イオン導入モード、血行促進モードのいずれかを実行可能な状態となる。この他、各モードを所定の順序（例えば、クレンジング、マッサージ、イオン導入、リフティングの順）で連続して実行するようにしてもよい。その場合、制御部１６が表示ランプ等の点灯により各モードの終了を通知しつつ、各モードの通電動作を一旦停止させ、所定時間経過の後、次のモードに移行するのが好ましい。
【００５２】
また、制御部１６は、各動作モードに対応してヘッド部１２と補助電極部１１ｃ間を通電状態とする場合に、この通電により使用者の皮膚を流れる電流の強さの調整を行うようにしてもよい。この場合、調整は操作部１１ｂに別途設けられる強弱切替スイッチに対する使用者の入力操作に基づいて行われることとなる。
【００５３】
この制御部１６は、そのハードウェア構成として、ＣＰＵやメモリ、入出力インターフェース等を備えるコンピュータとなっており、メモリ等に格納されるプログラムにより、コンピュータを制御手段として動作させる仕組みである。この制御部１６をなすコンピュータは、通常は、ＣＰＵやメモリ、ＲＯＭ等を一体的に形成されたマイクロコンピュータとされて実装される。
【００５４】
また、制御部１６は、ヘッド部１２が肌７０に接してヘッド部１２と補助電極部１１ｃ間で体等を介して通電可能となった状態をパルスを用いて検出して、美容に係る通電を開始する機能を備える構成である。通電可能状態を判別するためには、一方の電極から何らかのパルスが出力可能な状態であれば、このパルスが他方の電極にて検出されていることで肌に各電極部が当接されていると判断できるので、このパルスが他方の電極で検出されなくなった場合を通電不可能として判別できる。そして、通電不可能の場合に美容に係る通電を停止し、さらに、再び通電可能となった場合に通電を再開することとする。
【００５５】
検出のためのパルスを、ヘッド部１２に対して出力するのか、補助電極部１１ｃに対して出力するのかは、前記各モードにより異なるが、一方の電極から出力されたパルスが人体を介して他方の電極に通るように、パルスが出力されない側の電極の電位をＧＮＤレベルに落とす必要がある。例えば、ヘッド部１２からパルスを出力する場合には、補助電極部１１ｃの電位をＧＮＤレベルに落としておく。一方、補助電極部１１ｃからパルスを出力する場合には、ヘッド部１２の電位をＧＮＤレベルに落としておく。
【００５６】
次に、本実施形態に係る美容装置の通電動作状態について説明する。前提として、美容装置１が使用者による操作部１１ｂの電源スイッチ１１ｅ操作により起動し、使用者が把持部１１ａを持ってヘッド部１２を使用したい肌部位に向けられる状態にあるものとする。使用者により動作モードが選択入力されれば、制御部１６が各動作モードの実行を開始可能な状態とする。
【００５７】
クレンジングを行う場合には、まず使用者は保持部１５を傾動させてヘッド部１２から離し、本体部１１の正面側に突出した状態とし、電解質成分を含んだふき取り用化粧水を染みこませた多孔質被覆体１３をヘッド部１２表面に位置させる（図５参照）。さらに保持部１５を本体部１１に対しヘッド部１２へ近付ける向きに傾動させ、保持部１５上部の開口孔１５ａにヘッド部１２を相対的に進入させつつ、保持部１５を本体部１１の正面側に重ね合せると、保持部１５と本体部１１との間に多孔質被覆体１３の周縁部分が挟まれて、多孔質被覆体１３がヘッド部１２表面に保持、固定されると共に、多孔質被覆体１３で覆われたヘッド部１２が保持部１５の開口孔１５ａより突出した状態となる（図６参照）。
【００５８】
多孔質被覆体１３は、保持された状態でヘッド部１２を本体部１１側にわずかに押下げる分、ヘッド部１２からその内側のばね１４の弾性力に伴う反力を受けて相対的に押されており、多孔質被覆体１３はヘッド部１２から押されることで張りを与えられ、皺等無く伸びた状態でヘッド部１２表面に密着すると共に、この伸びた状態で肌に接触できることとなり、ヘッド部１２及び肌との接触面積を無理なく十分に確保できる。
【００５９】
また、多孔質被覆体１３がヘッド部１２を被覆しつつ保持部１５で保持された状態では、多孔質被覆体１３の端部は本体部１１に沿うこととなり、本体部１１から外側方に多孔質被覆体１３端部が突出して、例えば、使用者が目の近傍の肌にヘッド部１２を向けている場合に、多孔質被覆体１３の端部が目に入ったり、美容に係る動作の障害になったりするのを防止できる。
【００６０】
使用者が操作部１１ｂのモード切替スイッチ１１ｄを操作してクレンジングモードを選択すると、制御部１６はまず検出用の信号を出力する。ヘッド部１２を肌から離している状態では、ヘッド部１２と補助電極部１１ｃ間が体を介して閉じた回路となっていないため、通電はないが、使用者が本体部１１を動かしてヘッド部１２を多孔質被覆体１３を介し肌７０に密着させると、体及び多孔質被覆体１３中の化粧水を介した通電が可能となり、出力された検出用の信号の受信によりこの状態を検出すると、制御部１６はクレンジングに係る通電状態に移行する。
【００６１】
すなわち、制御部１６は、周期の短いパルス波形をなす通電をヘッド部１２と補助電極部１１ｃ間で実行し、皮膚表面や内部の帯電した微細な汚れ成分（落ちきれなかった化粧品の成分、タバコの煙の成分、老化角質等）がヘッド部１２に引寄せられて肌側から多孔質被覆体１３側に移行し、多孔質被覆体１３に汚れ成分が取込まれる状態となることで、肌の汚れを吸引除去できる。
【００６２】
こうしてヘッド部１２を多孔質被覆体１３を介し肌７０に密着させている状態において、ヘッド部１２は本体部１１に対し弾性支持されており且つ傾動可能であることで、使用者の手による本体部１１の支持状態が若干変化したとしても、ヘッド部１２と肌との位置関係は維持され、ヘッド部表面の多孔質被覆体１３は肌への接触圧力を適正としつつ、無理なく肌に当接でき、使用者はヘッド部１２を肌に当接させるように本体部１１を注意深く微調整しながら支持する必要はない。
【００６３】
クレンジング対象の肌７０のうち、鼻の側面部分など、ヘッド部１２の頂面１２ａを近接させにくい箇所については、ヘッド部１２の側面１２ｂを使用でき、この側面１２ｂを多孔質被覆体１３を介してこうした箇所の肌７０に当接させることで、使用者は本体部１１を無理な姿勢で保持したり持替えたりせずに済む。また、鼻と頬の境界部分など肌の凹状の隅部については、ヘッド部１２の頂面１２ａにおける横縁部１２ｄの曲率の大きい丸み面取り形状部分を使用することで、多孔質被覆体１３を介して確実にヘッド部１２を肌７０の隅部へ当接させることができ、偏りなくクレンジングを行うことができる（図１０参照）。
【００６４】
このクレンジングモードの通電は、ヘッド部１２を多孔質被覆体１３を介し肌７０に密着させている間、低周波に対応する周期で繰返され、全体の通電波形は、低周波の波形にこれより高い周波数のパルス波形が重畳されたものとなる。
【００６５】
多孔質被覆体１３を肌７０に当接させたままヘッド部１２を肌上で少しずつ移動させると、通電状態のまま汚れ除去の対象位置を変えられるが、ヘッド部１２がその頂面近傍で本体部１１からは離れた高い位置の支点部１２ｆを中心として傾動可能とされていることで、肌からヘッド部１２に加わる反力はヘッド部１２の頂面を肌に正対させるように作用し、ヘッド部１２の頂面を肌に沿わせた状態が常に得られ、多孔質被覆体１３を確実に肌に当接させることができ（図９（Ｂ）参照）、ヘッド部を静止させた状態と変わりなくクレンジングの効果を発揮させられる。
【００６６】
クレンジング動作を中断したり除去位置を変えるために、ヘッド部１２を肌７０から離すと、通電に伴うパルスが他方の電極で検出できなくなることで、制御部１６は肌からヘッド部１２が離されたと判別し、クレンジングに係る通電を停止させる。このように通電を停止している場合には、検出用の信号を再び出力する。そして、再び、ヘッド部１２を多孔質被覆体１３を介し肌７０に密着させると、検出用の信号の受信により通電可能状態を検出することができ、制御部１６はクレンジングに係る通電状態に移行し、通電を再開する。クレンジングを完全に終える場合は、使用者が操作部１１ｂで動作モードを他に切替えるか電源をＯＦＦ状態とすればよい。
【００６７】
このクレンジングモードの終了後は、本体部１１の把持部１１ａ及び保持部１５から把持していた手を離して把持状態を解除し、本体部１１に重なる保持部１５を傾動可能とする。そして、保持部１５をヘッド部１２から離れる向きに傾動させて本体部１１正面側に突出した状態とし、保持部１５を離して保持状態を解除された多孔質被覆体１３を、ヘッド部１２上から取外してヘッド部１２を清浄化する。また、使用者は洗顔等を行って肌上に浮いた状態で残った汚れを取除くこととなる。
【００６８】
イオン導入を行う場合には、使用者は前記同様、保持部１５を傾動させてヘッド部１２から離し、本体部１１の正面側に突出した状態とし、電解質成分を含んだ保護化粧水を染みこませた多孔質被覆体１３をヘッド部１２表面に位置させる。さらに保持部１５を本体部１１に対しヘッド部１２へ近付ける向きに傾動させ、保持部１５を本体部１１の正面側に重ね合せて、保持部１５と本体部１１との間に多孔質被覆体１３を挟持し、多孔質被覆体１３をヘッド部１２表面に保持、固定する。この場合、多孔質被覆体１３をヘッド部１２表面に保持、固定した後、多孔質被覆体１３に化粧水を染みこませてもよい。
【００６９】
保持された多孔質被覆体１３は、前記クレンジングの場合と同様、ヘッド部１２からばね１４の弾性力に伴う反力を受けて相対的に押されており、皺等無く伸びた状態でヘッド部１２表面に密着すると共に、この伸びた状態で肌に接触できることとなる。
【００７０】
使用者が操作部１１ｂのモード切替スイッチ１１ｄを操作してイオン導入モードを選択すると、制御部１６はまず検出用の信号を出力する。ヘッド部１２を肌７０から離している状態では、ヘッド部１２と補助電極部１１ｃ間が体を介して閉じた回路となっていないため、通電はない。
【００７１】
使用者が本体部１１を動かしてヘッド部１２を多孔質被覆体１３を介し肌７０に密着させると、体及び多孔質被覆体１３中の化粧水を介した通電が可能となり、出力された検出用の信号の受信によりこの状態を検出すると、制御部１６は前記クレンジングの場合とは逆極性となる、イオン導入に係る通電状態に移行し、周期の短いパルス波形をなす通電をヘッド部１２と補助電極部１１ｃ間で実行し、多孔質被覆体１３を流れる電流で化粧水中のイオン性の有効成分（プロビタミンＣなど）を肌側へ移行させ、電流によりイオンが浸透しやすい状態となっている肌内に、有効成分が速やかに浸透する。クレンジングの場合と同様、肌７０のうち鼻と頬の境界部分などの肌の凹状の隅部についても、ヘッド部１２における頂面横縁部１２ｄの曲率の大きい丸み面取り形状部分を、その表面の多孔質被覆体１３を介して確実に当接させることができ、偏りなくイオン導入を行うことができる。
【００７２】
このイオン導入モードにおいても、通電がヘッド部１２を多孔質被覆体１３を介し肌７０に密着させている間、低周波に対応する周期で繰返されることとなり、全体の通電波形は、低周波の波形にこれより高い周波数のパルス波形が重畳されたものとなる。
【００７３】
多孔質被覆体１３を肌７０に当接させたままヘッド部１２を肌上で少しずつ移動させると、通電状態のままイオン導入の対象位置を変えられるが、ヘッド部１２がその頂面近傍で本体部１１からは離れた高い位置の支点部１２ｆを中心として傾動可能とされていることで、クレンジングの場合と同様、肌からヘッド部１２に加わる反力はヘッド部１２の頂面を肌に正対させるように作用し、ヘッド部１２の頂面を肌に沿わせた状態が常に得られ、多孔質被覆体１３を確実に肌に当接させることができ、ヘッド部を静止させた状態と変わりなくイオン導入の効果を発揮させられる。
【００７４】
イオン導入を中断したり導入位置を大きく変えるために、ヘッド部１２を肌７０から離すと、通電に伴うパルスが他方の電極で検出できなくなることで、制御部１６は肌からヘッド部１２が離されたと判別し、イオン導入に係る通電を停止させる。このように通電を停止している場合には、検出用の信号を再び出力する。そして、再び、ヘッド部１２を多孔質被覆体１３を介し肌７０に密着させると、検出用の信号の受信により通電可能状態を検出することができ、制御部１６はイオン導入に係る通電状態に移行し、通電を再開する。イオン導入を完全に終える場合は、使用者が操作部１１ｂで動作モードを他に切替えるか電源をＯＦＦ状態とすればよい。
【００７５】
このイオン導入モードの終了後は、保持部１５を本体部１１の電極部近傍部分周囲位置からヘッド部１２の正面側へ傾動させて本体部１１から突出した状態とし、保持状態を解除された多孔質被覆体１３を取外し、必要に応じてヘッド部１２を清浄化すればよい。
【００７６】
マッサージやリフティングといった肌への通電を実行する場合には、多孔質被覆体１３を用いず、保持部１５を本体部１１の正面側に重ね合せて、ヘッド部１２を肌に当接させる際に保持部１５が障害物とならない状態とする。同時に、肌には必要に応じ化粧水や乳液等を付けてなじませた状態とする。
【００７７】
使用者が操作部１１ｂのモード切替スイッチ１１ｄを操作してマッサージモードまたはリフティングモードを選択すると、制御部１６はまず検出用の信号を出力する。ヘッド部１２を肌から離している状態では、ヘッド部１２と補助電極部１１ｃ間が体を介して閉じた回路となっていないため、通電はない。
【００７８】
使用者が本体部１１を動かしてヘッド部１２を肌７０に密着させると、体を介した通電が可能となり、出力された検出用の信号の受信によりこの状態を検出すると、制御部１６はマッサージやリフティングに係る通電状態に移行し、マッサージモードの場合、制御部１６は、正極性と負極性の各パルスが所定の休止時間を挟んで同じパルス幅で交互に現れる低周波の波形となる通電をヘッド部１２と補助電極部１１ｃ間で実行し、ヘッド部１２と補助電極部１１ｃ間において体を介した通電状態となり、肌７０に低周波の通電がなされ、肌７０を活性化してマッサージ効果を与え、血行を促進することとなる。
【００７９】
また、リフティングモードの場合、制御部１６は、正極性と負極性の各パルスが所定の休止時間を挟んで同じパルス幅で交互に現れる、マッサージモードより低い周波数の波形となる通電を実行し、ヘッド部１２と補助電極部１１ｃ間で体を介した通電状態となり、肌７０に低周波の通電がなされ、肌７０への有効成分の浸透を促すと共に、肌に張りを与えて引上げるリフティングの効果を与えることとなる。
【００８０】
ヘッド部１２を肌７０に当接させたまま肌上で少しずつ移動させると、通電の対象位置を変えられるが、ヘッド部１２がその頂面近傍で本体部１１からは離れた高い位置の支点部１２ｆを中心として傾動可能とされていることで、クレンジングやイオン導入の場合と同様、肌からヘッド部１２に加わる反力はヘッド部１２の頂面を肌に正対させるように作用し、ヘッド部１２の頂面を肌に沿わせた状態が常に得られ、ヘッド部１２を確実に肌に当接させることができ、ヘッド部を静止させた状態と変わりなく通電に伴う各種効果を発揮させられる。
【００８１】
通電を中断したり通電位置を変えるために、ヘッド部１２を肌７０から離すと、通電に伴うパルスが他方の電極で検出できなくなることで、制御部１６は肌からヘッド部１２が離されたと判別し、マッサージやリフティングに係る通電を停止させる。このように通電を停止している場合には、検出用の信号を再び出力する。そして、再び、ヘッド部１２を肌７０に密着させると、検出用の信号の受信により通電可能状態を検出することができ、制御部１６はマッサージやリフティングに係る通電状態に移行し、通電を再開する。さらに使用者が操作部１１ｂで動作モードを他に切替えるか電源をＯＦＦ状態とすれば、通電は完全に終了となる。
【００８２】
このように、本実施形態に係る美容装置は、略楕円錐台状のヘッド部１２を本体部１１に弾性支持された状態とすると共に本体部１１に対し傾動可能として、ヘッド部１２を使用者の肌７０に当接させると、本体部１１が少し動いて肌７０との位置関係が変化したとしても、ヘッド部１２は本体部１１に対して相対的に変位しつつ、肌７０に対しては適度な接触状態を維持することから、ヘッド部１２が過剰な押付け状態とならず、肌７０とヘッド部１２との摩擦を抑えて、肌７０に対しヘッド部１２を移動させる際にヘッド部１２が肌７０に引っかかったり、ヘッド部１２が肌７０を擦ったりしにくい状態が得られ、肌７０への負担を軽減できる。また、クレンジングやイオン導入等の対象箇所の肌７０のうち、例えば鼻の側面部分など、ヘッド部１２の頂面１２ａを近接させにくい箇所に対しては、略楕円錐台状のヘッド部１２における側面１２ｂを当接させることができ、使用者はヘッド部１２各部を有効に活用して本体部１１を無理な姿勢で保持したり持替えたりせずに済み、使い勝手の点で優れる。
【００８３】
なお、前記実施形態に係る美容装置において、ヘッド部１２の傾斜した側面は断面形状が直線状となる単純な楕円錐面として形成される構成としているが、これに限らず、ヘッド部の側面形状を、ヘッド部の突出方向中間位置でヘッド部内側に向かって凹んだ丸みのある曲面、例えば、図１１に示すように、断面形状が円弧状となる曲面、として形成する構成とすることもでき、側面１９ｂの凹状の丸みが鼻側面等の肌７０の丸みを帯びた立体形状に対応できるなど（図１２参照）、フィット性を高められ、ヘッド部１９と肌７０との接触面積を十分に確保して肌への美容効果をより効率よく与えられる。
【００８４】
また、前記実施形態に係る美容装置において、ヘッド部１２は頂面１２ａに近い裏面中央の支点部１２ｆで、支持軸部１４ａの先端と摺動可能に当接して、支持軸部１４ａ及び本体部１１に対し傾動可能とされる構成としているが、この他、ヘッド部における支点部位置で各方向への傾動の自由度を有する継手を形成しつつ、ヘッド部と支持軸部とが係合連結されることで、ヘッド部が支持軸部及び本体部に対し傾動可能とされる構成とすることもでき、この場合、ヘッド部が支持軸部と連結して一体化し、支持軸部と共に本体部に対する進退移動範囲が拘束されることから、本体部からヘッド部が離脱しないようにヘッド部における錐台底面側の縁部を鍔状に形成したりする必要はない。
【００８５】
（本発明の第２の実施形態）
前記第１の実施形態に係る美容装置において、保持部１５は本体部１１に対し傾動可能に取付けられて常に一体で取扱われる構成としているが、これに限らず、ヘッド部に沿わせた多孔質被覆体の周縁部を押えるなどして保持できるものであれば、保持部を本体部とは別体として本体部に対し着脱可能にする構造でもよく、例えば、第２の実施形態として、図１３及び図１４に示すように、保持部２５を本体部２１正面側に着脱可能なカバー状とし、且つこの保持部２５の本体部２１へ取付ける向きを使用時と使用していない収納時とで変更可能にする構成とすることもできる。
【００８６】
この場合、保持部２５は、ヘッド部２２を露出させるための開口孔２５ａ以外は、長手方向の中心部を挟んで対称形状となっており、使用時には保持部２２の開口孔２５ａがヘッド部２２側に位置するようにして、開口孔２５ａにヘッド部２２を相対的に進入させつつ、このヘッド部２２のある本体部２１の正面側に保持部２５を重ね合せて、保持部２２を本体部２１に取付け一体化する。多孔質被覆体を用いる際は、多孔質被覆体をヘッド部２２正面に位置させてから保持部２５を重ね、保持部２５と本体部２１との間に多孔質被覆体の周縁部分を挟んで、多孔質被覆体がヘッド部２２表面に保持、固定された状態とすることができる。
【００８７】
一方、使用していない収納時には、保持部２２の開口孔２５ａをヘッド部２２から離れた側として、保持部２５を本体部２１の正面側に重ね合せ、保持部２２を本体部２１に取付け一体化すると（図１４（Ｂ）参照）、前記第１の実施形態同様に弾性支持されているヘッド部２２が保持部２５に押されて沈み込み、保持部２５の内側に無理なく収納された状態が得られる。
【００８８】
美容装置２において弾性支持され可動であるヘッド部２２が、非使用状態で保持部２５の内側に収納される構成とすることで、ヘッド部に誤って強い外力が加わり、ヘッド部が破損するような事態を回避することができる。また、多孔質被覆体の使用、不使用に関わりなく、保持部２５を本体部２１に取付け一体化して使用に供することから、保持部２５を取外したまま放置して紛失する危険性を小さくできる。
【００８９】
なお、上記の場合のように、保持部を本体部に対し着脱可能とする構成では、保持部は弾性変形可能な材質製として、若干の変形を伴いつつ本体部に係合して取付けられるようにするのが、構造を簡略にできる点で好ましい。また、本体部に対し着脱可能な保持部は、本体部の全体を覆う大きさとされる必要はなく、ヘッド部表面に多孔質被覆体を保持可能なものであれば、本体部のヘッド部近傍にのみ取付けられる大きさでも問題なく、且つ、クレンジングやイオン導入など、多孔質被覆体を用いる場合のみ本体部に取付けて多孔質被覆体を保持可能にするものとしてもかまわない。
【００９０】
（本発明の第３の実施形態）
前記第１の実施形態に係る美容装置において、ヘッド部１２は略楕円形の頂面１２ａと傾斜した側面１２ｂとを有する略楕円錐台形状とされてなる構成としているが、これに限らず、ヘッド部を例えば、横断面が円形となる円錐台、横断面が長円形となる長円錐台、あるいは、横断面が多角形となる角錐台など、他の錐台形状として形成する構成とすることもできる。
【００９１】
特に、第３の実施形態として、図１５に示すように、ヘッド部３２を変形した略角錐台形状とした場合、ヘッド部縦方向寸法を他の円錐台形等の場合と同様に確保しつつ横方向寸法を狭小化でき、縦方向寸法を十分確保することで、ヘッド部３２を横方向に移動させて行うクレンジングやイオン導入等の効率を維持しつつ、装置の小型化、スリム化が図れる。また、ヘッド部３２の頂面を緩やかな曲面状とすると共に、縦方向の両端部の長さをそれぞれ異ならせることで、指状の接触感が得られることとなり、ヘッド部３２を直接又は多孔質被覆体を介して肌に接触させた際の違和感を軽減できる。
【００９２】
加えて、ヘッド部３２の頂面３２ａの縦縁部３２ｃ、３２ｄのうち、一方の縦縁部３２ｃと側面３２ｂとの交差部における丸み面取り形状の曲率を、他方の縦縁部３２ｄと側面３２ｂとの交差部における丸み面取り形状及び横縁部３２ｅと側面３２ｂとの交差部の丸み面取り形状の各曲率に対し小さくしている。例えば、鼻と頬の境界部分などの肌の凹状の隅部に対しては、ヘッド部３２の横縁部３２ｅ等のより曲率の大きい丸み面取り形状部分が、直接又は多孔質被覆体を介して、隅部の奥まで達して確実に当接することができ、こうした隅部に偏りなくクレンジングやイオン導入を行うことができる。また、縦縁部３２ｃにおける曲率の小さい丸み面取り形状部分は、ヘッド部３２の頂面３２ａを肌に当接させる際の接触を滑らかなものとして、感触を向上させることができる。
【００９３】
（本発明の第４の実施形態）
前記第１の実施形態に係る美容装置において、ヘッド部１２の頂面１２ａは緩やかな曲面とされて、特に凹凸を設けない構成としているが、これに限らず、第４の実施形態として、図１６に示すように、ヘッド部４２の頂面４２ａに、開口部分が円形となる小さな凹部４２ｃを複数設ける構成とすることもできる。凹部４２ｃの底面はその中央部で最も深くなる曲面状としており、肌７０に化粧水８０を塗布した状態でヘッド部４２の頂面４２ａを肌７０に直接当てる場合、肌７０と接触せず圧力のかからない凹部４２ｃに化粧水８０を保持でき（図１７参照）、ヘッド部４２と肌７０との間に化粧水８０を位置させたまま通電を行える。
【００９４】
特に、マッサージやリフティングといった肌への通電刺激を、化粧水や乳液等を肌に付けた状態で実行する場合、肌に付けられた化粧水等が、肌と接触せず圧力のかからないこの凹部４２ｃに保持されて流れ落ちにくくなり、ヘッド部４２と肌７０との間に化粧水等を位置させた状態を維持できることとなる。こうして、従来は肌とヘッド部との接触に伴って押出され流れ落ちてしまっていた化粧水等を、無駄に消費することなく肌上でその効果を適切に発揮させることができる。
【００９５】
なお、ヘッド部頂面に複数設ける凹部の開口形状は、図１６に示すようないずれも径の等しい円形状として形成する構成に限られるものではなく、この他、図１８に示すように、頂面４２ａに複数設けた凹部４２ｄの円形状が、頂面４２ａの中央部から外方に進むに従って径が小さくなるようにしたり、図１９に示すように、凹部４２ｅを格子状に配置形成するなど、凹部の開口形状を変化させる構成とすることもできる。また、凹部の深さについても、図１６や図１８に示すように、凹部４２ｃ、４２ｄの深さが頂面４２ａの中央部から外方に進むに従って大きくなるようにするなど、変化させる構成とすることもできる。
【００９６】
さらに、頂面に凹部を設ける他に、図２０に示すように、側面４２ｂに凹部４２ｆを設けて、ヘッド部４２の正面から見た輪郭形状がくびれを有するものとなる構成としたり、頂面に設けたような複数の小さな凹部を側面に設ける構成としたりすることもできる。頂面の場合と同様、側面４２ｂを肌に当接させる際には、肌と接触せず圧力のかからない凹部４２ｆが化粧水を保持し、ヘッド部４２と肌との間に化粧水を介在させた状態で肌への通電が行える。
【００９７】
こうしてヘッド部の頂面又は側面に凹部を設ける構成の他に、図２１に示すように、ヘッド部４２における頂面４２ａと側面４２ｂのいずれにも凹部４２ｇを設ける構成とすることもでき、ヘッド部４２のいずれの位置を肌に当接させた場合でも、凹部４２ｇが化粧水等を保持して、ヘッド部４２と肌との間に化粧水等を介在させた状態を維持することができる。
【００９８】
このようなヘッド部に設けられる凹部は、肌からの圧力がかからず、肌に付けられた化粧水等を保持できる状態を確保しつつ、表面に付着した汚れを使用後に拭取るなどして清浄とするのが容易にできるよう、凹部開口の大きさを１ｍｍ以上とするのが好ましく、また、凹部外縁における凹部と頂面又は側面との交差部を丸み面取り形状として（図１７参照）、頂面又は側面と凹部とが滑らかに連続する状態とするのが好ましい。さらに、この凹部は、横へ線状に長く延びた長穴状や、さらに長く連続する溝状となったもの、例えば、図２２に示すような頂面４２ａで連続する凹部４２ｈ、４２ｉや、後述する図２９に示すような側面５２ｂの凹部５２ｇのような形状でもよいが、その場合は、開口の幅（長手方向と直交する向きの寸法）を１ｍｍ以上とするのが好ましい。
【００９９】
（本発明の第５の実施形態）
本発明の第５の実施形態に係る美容装置を前記図２３ないし図２８に基づいて説明する。
【０１００】
前記各図において本実施形態に係る美容装置５は、前記第１の実施形態同様、本体部１１と、ヘッド部５２と、ばね１４と、補助電極部１１ｃと、保持部５５と、制御部１６とを備える一方、異なる点として、ヘッド部５２が略円錐台形状とされ、本体部１１に対し回動可能とされると共に、保持部５５がヘッド部５２に係合して多孔質被覆体５３を保持する構成を有するものである。
【０１０１】
なお、前記制御部１６は、前記第１の実施形態と同様のものであり、説明を省略する。また、前記本体部１１は、ヘッド部５２のある正面側に保持部５５が傾動可能として取付けられない点以外は、前記第１の実施形態と同様の構成であり、説明を省略する。  
【０１０２】
前記ヘッド部５２は、金属等の導電性を有する材質からなり、肌７０に面接触可能な緩やかな曲面状の頂面５２ａと傾斜した側面５２ｂとを有する略円錐台形状とされ、頂面側を先端として本体部１１の一端部正面側から突出させて配設される構成である。
【０１０３】
このヘッド部５２は、円形状の頂面５２ａにおける本体部１１の長手方向の端部となる縦縁部５２ｃ、及び本体部１１の長手方向と直交する方向の端部となる横縁部５２ｄにおける、それぞれ側面との交差部を丸み面取り形状とされる構成である。そして、横縁部５２ｄと側面との交差部の丸み面取り形状の曲率に対し、縦縁部５２ｃと側面との交差部の丸み面取り形状の曲率が小さく（丸み半径を大きく）されてなる。
【０１０４】
ヘッド部５２の側面５２ｂには、開口部分が円形となる小さな凹部５２ｅが、凹部底面をその中央部で最も深くなる曲面状とされて複数設けられる。肌に化粧水を塗布した状態でヘッド部５２の側面５２ｂを肌に直接当てる場合、肌と接触せず圧力のかからない凹部５２ｅに化粧水を保持でき、化粧水が流れ落ちにくくなり、ヘッド部５２と肌との間に化粧水を位置させたまま通電を行える。このヘッド部側面５２ｂの凹部５２ｅは、多孔質被覆体５３を保持する保持部５５の係合にも用いられる。
【０１０５】
ヘッド部５２の内側には、前記第１の実施形態と同様に、本体部１１に対し所定範囲進退可能とされる棒状の支持軸部１４ａが取付けられ、この支持軸部１４ａはばね１４で本体部１１から遠ざかる向きに付勢されている。そして、ヘッド部５２は、頂面中心部のちょうど裏側となる内側の支点部５２ｆで支持軸部１４ａの先端と摺動可能に当接し、この支持軸部１４ａを介してばね１４により本体部１１から遠ざかる向きに付勢されつつ弾性支持される。また、ヘッド部５２は、支点部５２ｆで支持軸部１４ａの先端に対し摺動できることで、支持軸部１４ａ及び本体部１１に対し傾動可能であることに加え、支点部５２ｆを通る円錐台中心軸周りに回動可能となっている。
【０１０６】
ヘッド部５２における錐台底面側の縁部は、他部分より外径を若干大きくした鍔状とされて、本体部１１内に収められ、この本体部１１におけるヘッド部５２を一部収る空隙部分の入口開口部分がヘッド部５２の鍔状の縁部より小口径とされることで、前記第１の実施形態と同様、ヘッド部５２の本体部１１からの離脱が防止される仕組みである。なお、ヘッド部５２の本体部１１に対する突出方向への移動範囲や、ヘッド部５２の支持軸部１４ａに対する傾動角度範囲は、前記第１の実施形態同様、ヘッド部５２の鍔状の縁部が本体部１１に拘束されることで制限されるものの、ヘッド部５２の錐台底面側の各部外形は円形とされ、またこれを収める本体部１１内空隙部分の入口開口部分を含む内周形状も円形とされることで、ヘッド部５２の本体部１１に対する回動は許容される。
【０１０７】
また、ヘッド部５２は、前記第１の実施形態同様、本体部１１内で制御部１６と電気的に接続され、把持部１１ａにある補助電極部１１ｃとの間で使用者の体を介して通電可能とされる構成である。通電については、制御部１６によりヘッド部５２と補助電極部１１ｃ間に電圧が加えられて通電が起こり得る状態とされた上で、電解質成分を含む化粧水等の液剤が含浸した多孔質被覆体５３を介して、又は直接、ヘッド部５２が肌７０に接触し、また補助電極部１１ｃが把持部１１ａを持つ手と接触すると、ヘッド部５２と補助電極部１１ｃとが使用者の体を介して通電状態となる仕組みである。
【０１０８】
前記多孔質被覆体５３は、カット綿やコットンパフ等と同様の脱脂等加工した綿繊維を、ヘッド部５２の外形に対応した不織シート製の袋状に成形して、ヘッド部５２表面に沿ってこれを覆うカバーとして用いるものであり、化粧水等を十分吸収してそのまま保持できる性質を備える。この多孔質被覆体５３はヘッド部５２の表面をぴったりと覆って本体部１１側に大きくはみ出さないことで、多孔質被覆体５３はヘッド部５２の回動を妨げず、これで覆われた状態でもヘッド部５２は本体部１１に対し回動可能となっている。
【０１０９】
前記保持部５５は、弾性変形可能な材質製の環状体として形成され、中央の開口部分に面する内周の複数箇所にヘッド部側面５２ｂの凹部５２ｅに係合する突起５５ｂを設けられ、多孔質被覆体５３を介在させた状態でヘッド部５２の側面５２ｂにおける頂面５２ａから離れた端部寄り位置の外側に、着脱可能に取付けられる構成である。この保持部５５中央の開口部分は、ヘッド部５２の側面５２ｂよりもわずかに大きな開口形状とされる。
【０１１０】
ヘッド部５２の形状に対応した多孔質被覆体５３を装着したヘッド部５２に対し、この保持部５５をヘッド部５２の側面外側に位置させ、保持部５５の各突起５５ｂをヘッド部５２側の凹部５２ｅに係合させて、保持部５５がヘッド部５２に取付けられた状態とすると、多孔質被覆体５３が保持部５５とヘッド部５２との間に挟まれて容易に離脱しない状態となり、多孔質被覆体５３をヘッド部５２表面に保持できる仕組みである。
【０１１１】
次に、本実施形態に係る美容装置の通電動作状態について説明する。前提として、美容装置５が使用者による操作部１１ｂの電源スイッチ１１ｅ操作により起動し、使用者が把持部１１ａを持ってヘッド部５２を使用したい肌部位に向けられる状態にあるものとする。使用者により動作モードが選択入力されれば、制御部１６が各動作モードの実行を開始可能な状態とする。
【０１１２】
クレンジングを行う場合には、まず使用者は、電解質成分を含んだふき取り用化粧水を染みこませた多孔質被覆体５３をヘッド部５２に装着し、さらに保持部５５の開口部分にヘッド部５２を相対的に進入させつつ、保持部５５をヘッド部５２における側面５２ｂ外側に位置させ、保持部５５の各突起５５ｂをヘッド部側面５２ｂの凹部５２ｅに係合させると、保持部５５とヘッド部５２との間に多孔質被覆体５３が挟まれて、多孔質被覆体５３がヘッド部５２表面に保持、固定された状態となる（図２６参照）。
【０１１３】
多孔質被覆体５３は、ヘッド部５２の外形に対応した形状とされていることで、皺等無く伸びた状態でヘッド部５２表面に密着すると共に、この伸びた状態で肌に接触できることとなり、ヘッド部５２及び肌との接触面積を無理なく十分に確保できる。
【０１１４】
使用者が操作部１１ｂのモード切替スイッチ１１ｄを操作してクレンジングモードを選択すると、前記第１の実施形態同様、制御部１６はまず検出用の信号を出力する。使用者が本体部１１を動かしてヘッド部５２を多孔質被覆体５３を介し肌７０に密着させると、体及び多孔質被覆体５３中の化粧水を介した通電が可能となり、出力された検出用の信号の受信によりこの状態を検出すると、制御部１６はクレンジングに係る通電状態に移行する。
【０１１５】
すなわち、制御部１６は、周期の短いパルス波形をなす通電をヘッド部５２と補助電極部１１ｃ間で実行し、皮膚表面や内部の帯電した微細な汚れ成分がヘッド部５２に引寄せられて肌側から多孔質被覆体５３側に移行し、多孔質被覆体５３に汚れ成分が取込まれる状態となることで、肌の汚れを吸引除去できる。
【０１１６】
こうしてヘッド部５２を多孔質被覆体５３を介し肌７０に密着させている状態において、ヘッド部５２は本体部１１に対し弾性支持されており且つ傾動可能であることで、使用者の手による本体部１１の支持状態が若干変化したとしても、ヘッド部５２と肌との位置関係は維持され、ヘッド部表面の多孔質被覆体５３は肌への接触圧力を適正としつつ、無理なく肌に当接でき（図２７（Ａ）参照）、使用者はヘッド部５２を肌に当接させるように本体部１１を注意深く微調整しながら支持する必要はない。
【０１１７】
クレンジング対象の肌７０のうち、鼻の側面部分など、ヘッド部５２の頂面５２ａを近接させにくい箇所については、ヘッド部５２の側面５２ｂを使用でき、この側面５２ｂを多孔質被覆体５３を介してこうした箇所の肌７０に当接させることで、使用者は本体部１１を無理な姿勢で保持したり持替えたりせずに済む。
【０１１８】
また、鼻と頬の境界部分など凹状の隅部となっている箇所については、ヘッド部５２の頂面５２ａにおける横縁部５２ｄの曲率の大きい丸み面取り形状部分を使用することで、多孔質被覆体５３を介して確実にヘッド部５２を肌７０の隅部へ当接させることができ、偏りなくクレンジングを行うことができる。
【０１１９】
多孔質被覆体５３を肌７０に当接させたままヘッド部５２を肌上で少しずつ移動させると、通電状態のまま汚れ除去の対象位置を変えられる。この際、多孔質被覆体５３を介してヘッド部５２における頂面５２ａの中央を除く端部や側面５２ｂが肌に当接していた場合、ヘッド部５２は移動に伴って肌７０から受ける摩擦抵抗力に伴って生じる支点部５２ｆ周りの回転モーメントにより、支点部５２ｆを中心に回動し、多孔質被覆体５３は肌７０に対し転がり接触状態となる（図２８参照）。
【０１２０】
こうして、ヘッド部５２や多孔質被覆体５３の肌への引っかかりや擦れを生じさせることなく、多孔質被覆体５３を確実に肌に当接させることができ、ヘッド部５２を移動させながらでも肌に負担をかけずにクレンジングの効果を発揮させられる。また、多孔質被覆体５３が肌に対し転がり接触して接触位置を変化させていくことで、多孔質被覆体５３の同じ箇所が集中的に使用されて除去した汚れ成分が過度に集積する状態とならず、多孔質被覆体５３の清浄な部位を最大限に使用して、多孔質被覆体５３への汚れ成分の取込み能力を適切に発揮させられる。
【０１２１】
なお、ヘッド部５２を肌上で移動させる際に、多孔質被覆体５３を介してヘッド部５２における頂面５２ａの中央を含む広い領域が肌に当接していた場合、ヘッド部５２の回動による多孔質被覆体５３の転がり接触は生じない。ただこの場合も、ヘッド部５２がその頂面近傍で本体部１１からは離れた高い位置の支点部５２ｆを中心として傾動可能とされていることで、前記第１の実施形態同様、肌７０からヘッド部５２に加わる反力はヘッド部５２の頂面を肌７０に正対させるように作用し、ヘッド部５２の頂面５２ａを肌７０に沿わせた状態が常に得られ、ヘッド部５２や多孔質被覆体５３の肌７０への引っかかりを防ぎつつ、多孔質被覆体５３を確実に肌に当接させることができ、ヘッド部を静止させた状態と変わりなくクレンジングの効果を発揮させられる。
【０１２２】
クレンジング動作を中断したり除去位置を変えるために、ヘッド部５２を肌７０から離すと、前記第１の実施形態同様、制御部１６は肌からヘッド部５２が離されたと判別し、クレンジングに係る通電を停止させる。そして、再びヘッド部５２を多孔質被覆体５３を介し肌７０に密着させると、制御部１６はクレンジングに係る通電状態に移行し、通電を再開する。クレンジングを完全に終える場合は、使用者が操作部１１ｂで動作モードを他に切替えるか電源をＯＦＦ状態とすればよい。
【０１２３】
このクレンジングモードの終了後は、保持部５５をヘッド部５２から外し、保持状態を解除された多孔質被覆体５３を、ヘッド部５２上から取外してヘッド部５２を清浄化する。また、使用者は洗顔等を行って肌上に浮いた状態で残った汚れを取除くこととなる。
【０１２４】
イオン導入を行う場合には、使用者は前記同様、電解質成分を含んだ保護化粧水を染みこませた多孔質被覆体５３をヘッド部５２に装着し、さらに保持部５５をヘッド部５２における側面５２ｂ外側に位置させ、保持部５５の各突起５５ｂをヘッド部側面５２ｂの凹部５２ｅに係合させて、保持部５５とヘッド部５２との間に多孔質被覆体５３を挟持し、多孔質被覆体５３をヘッド部５２表面に保持、固定する。この場合、多孔質被覆体５３をヘッド部５２表面に保持、固定した後、多孔質被覆体５３に化粧水を染みこませてもよい。
【０１２５】
保持された多孔質被覆体５３は、前記クレンジングの場合と同様、ヘッド部５２の外形に対応した形状とされており、皺等無く伸びた状態でヘッド部５２表面に密着すると共に、この伸びた状態で肌に接触できることとなる。
【０１２６】
使用者が操作部１１ｂのモード切替スイッチ１１ｄを操作してイオン導入モードを選択すると、前記第１の実施形態同様、制御部１６はまず検出用の信号を出力する。使用者が本体部１１を動かしてヘッド部５２を多孔質被覆体５３を介し肌７０に密着させると、体及び多孔質被覆体５３中の化粧水を介した通電が可能となり、出力された検出用の信号の受信によりこの状態を検出すると、制御部１６は前記クレンジングの場合とは逆極性となる、イオン導入に係る通電状態に移行する。
【０１２７】
この通電状態で、制御部５３は、周期の短いパルス波形をなす通電をヘッド部５２と補助電極部１１ｃ間で実行し、多孔質被覆体５３を流れる電流で化粧水中のイオン性の有効成分を肌側へ移行させ、電流によりイオンが浸透しやすい状態となっている肌内に、有効成分が速やかに浸透する。クレンジングの場合と同様、肌７０のうち鼻と頬の境界部分など凹状の隅部となっている箇所についても、ヘッド部５２における頂面横縁部５２ｄの曲率の大きい丸み面取り形状部分を、その表面の多孔質被覆体５３を介して確実に当接させることができ、偏りなくイオン導入を行うことができる。
【０１２８】
多孔質被覆体５３を肌７０に当接させたままヘッド部５２を肌上で少しずつ移動させると、通電状態のままイオン導入の対象位置を変えられるが、多孔質被覆体５３を介してヘッド部５２における頂面５２ａの中央を除く端部や側面５２ｂが肌に当接していた場合、クレンジングの場合と同様、ヘッド部５２は移動に伴って支点部５２ｆを中心に回動し、多孔質被覆体５３は肌に対し転がり接触状態となる。こうして、ヘッド部５２や多孔質被覆体５３の肌への引っかかりや擦れを生じさせることなく、多孔質被覆体５３を確実に肌に当接させることができ、ヘッド部５２を移動させながらでも肌に負担をかけずにイオン導入の効果を発揮させられる。
【０１２９】
なお、ヘッド部５２を肌上で移動させる際に、多孔質被覆体５３を介してヘッド部５２における頂面５２ａの中央を含む広い領域が肌に当接していた場合、ヘッド部５２の回動による多孔質被覆体５３の転がり接触は生じない。ただこの場合も、ヘッド部５２がその頂面近傍で本体部１１からは離れた高い位置の支点部５２ｆを中心として傾動可能とされていることで、クレンジングの場合と同様、肌からヘッド部５２に加わる反力はヘッド部５２の頂面を肌に正対させるように作用し、ヘッド部５２の頂面を肌に沿わせた状態が常に得られ、ヘッド部５２や多孔質被覆体５３の肌への引っかかりを防ぎつつ、多孔質被覆体５３を確実に肌に当接させることができ、ヘッド部を静止させた状態と変わりなくイオン導入の効果を発揮させられる。
【０１３０】
イオン導入を中断したり導入位置を大きく変えるために、ヘッド部５２を肌７０から離すと、前記第１の実施形態同様、制御部１６は肌からヘッド部５２が離されたと判別し、イオン導入に係る通電を停止させる。そして、再びヘッド部５２を多孔質被覆体５３を介し肌７０に密着させると、制御部１６はイオン導入に係る通電状態に移行し、通電を再開する。イオン導入を完全に終える場合は、使用者が操作部１１ｂで動作モードを他に切替えるか電源をＯＦＦ状態とすればよい。
【０１３１】
このイオン導入モードの終了後は、保持部５５をヘッド部５２から外し、保持状態を解除された多孔質被覆体５３を取外し、必要に応じてヘッド部５２を清浄化すればよい。
【０１３２】
マッサージやリフティングといった肌への通電を実行する場合には、多孔質被覆体５３を使用せず、ヘッド部５２は保持部５５を取付けない状態で用いる。なお、肌には必要に応じ化粧水や乳液等を付けてなじませた状態とする。
【０１３３】
使用者が操作部１１ｂのモード切替スイッチ１１ｄを操作してマッサージモードまたはリフティングモードを選択すると、前記第１の実施形態同様、制御部１６はまず検出用の信号を出力する。使用者が本体部１１を動かしてヘッド部５２を肌７０に密着させると、体を介した通電が可能となり、制御部１６はマッサージやリフティングに係る通電状態に移行する。
【０１３４】
マッサージモードの場合、制御部１６は、前記第１の実施形態同様、異なる極性のパルスが交互に現れる低周波の波形となる通電をヘッド部５２と補助電極部１１ｃ間で実行し、ヘッド部５２と補助電極部１１ｃ間において体を介した通電状態となり、肌７０に低周波の通電がなされ、肌７０を活性化してマッサージ効果を与え、血行を促進することとなる。
【０１３５】
また、リフティングモードの場合も、制御部１６は、前記第１の実施形態同様、マッサージモードより低周波で異なる極性のパルスが交互に現れる波形となる通電を実行し、ヘッド部５２と補助電極部１１ｃ間で体を介した通電状態となり、肌７０に低周波の通電がなされ、肌７０への有効成分の浸透を促すと共に、肌に張りを与えて引上げるリフティングの効果を与えることとなる。
【０１３６】
このマッサージモードやリフティングモードで、ヘッド部５２を肌７０に密着させている状態において、ヘッド部５２は本体部１１に対し弾性支持されており且つ傾動可能であることで、ヘッド部５２は肌への接触圧力を適正としつつ、無理なく肌に当接でき（図２７（Ｂ）参照）、使用者はヘッド部５２を肌に当接させるように本体部１１を注意深く微調整しながら支持する必要はない。
【０１３７】
ヘッド部５２の側面５２ｂには、複数の小さな凹部５２ｅが設けられており、この側面５２ｂを肌に当接させた状態では、肌に塗布された化粧水等が、肌と接触せず圧力のかからないこの凹部５２ｅに保持されて流れ落ちにくくなり、ヘッド部５２と肌との間に化粧水等を位置させたまま通電を行える。こうして、従来は肌とヘッド部との接触に伴って押出され流れ落ちてしまっていた化粧水等を、無駄に消費することなく肌上でその効果を適切に発揮させることができる。
【０１３８】
ヘッド部５２を肌７０に当接させたまま肌上で少しずつ移動させると、通電の対象位置を変えられる。この際、ヘッド部５２における頂面５２ａの中央を除く端部や側面５２ｂが肌に当接していた場合、ヘッド部５２は移動に伴って肌７０から受ける摩擦抵抗力に伴って生じる支点部５２ｆ周りの回転モーメントにより、支点部５２ｆを中心に回動し、ヘッド部５２は肌７０に対し転がり接触状態となる。こうして、ヘッド部５２の肌への引っかかりや擦れを生じさせることなく、ヘッド部５２を確実に肌に当接させることができ、ヘッド部５２を移動させながらでも肌に負担をかけずに通電の効果を発揮させられる。
【０１３９】
このヘッド部５２を肌上で移動させる際に、ヘッド部５２における頂面５２ａの中央を含む広い領域が肌に当接していた場合、ヘッド部５２の回動によるヘッド部５２の転がり接触は生じない。ただこの場合も、ヘッド部５２がその頂面近傍で本体部１１からは離れた高い位置の支点部５２ｆを中心として傾動可能とされていることで、クレンジングやイオン導入の場合と同様、肌からヘッド部５２に加わる反力はヘッド部５２の頂面を肌に正対させるように作用し、ヘッド部５２の頂面を肌に沿わせた状態が常に得られ、ヘッド部５２の肌への引っかかりを防ぎつつ、ヘッド部５２を確実に肌に当接させることができ、ヘッド部を静止させた状態と変わりなく通電の効果を発揮させられる。
【０１４０】
通電を中断したり通電位置を変えるために、ヘッド部５２を肌７０から離すと、前記第１の実施形態同様、制御部１６は肌からヘッド部５２が離されたと判別し、マッサージやリフティングに係る通電を停止させる。そして、再びヘッド部５２を肌７０に密着させると、制御部１６はマッサージやリフティングに係る通電状態に移行し、通電を再開する。さらに使用者が操作部１１ｂで動作モードを他に切替えるか電源をＯＦＦ状態とすれば、通電は完全に終了となる。
【０１４１】
このように、本実施形態に係る美容装置は、ヘッド部５２を本体部１１に対し回動可能とし、ヘッド部５２の頂面５２ａ中心部以外の箇所を直接又は多孔質被覆体５３を介して使用者の肌７０に当接させた状態で、使用者が本体部１１を動かしてヘッド部５２を移動させようとすると、ヘッド部５２は肌７０から受ける摩擦抵抗力に伴って生じる回転モーメントで回動し、ヘッド部５２や多孔質被覆体５３は肌７０に対し転がり接触する状態となることから、ヘッド部５２や多孔質被覆体５３の肌７０への引っかかりや擦れを生じさせずに、確実に肌７０に当接させることができ、ヘッド部５２を移動させながらでも肌に負担をかけずにクレンジングやイオン導入等の美容効果を発揮させられる。また、多孔質被覆体５３をヘッド部５２表面に配設して用いる場合には、多孔質被覆体５３が肌７０に対し転がり接触して接触位置を変化させていくことで、多孔質被覆体５３の同じ箇所が集中的に使用されて肌７０の汚れ成分が過度に付着する状態とならず、多孔質被覆体５３の清浄な部位を最大限に使用して、多孔質被覆体５３を用いたクレンジングやイオン導入等をより使用者にとって好ましい状態で実行できる。
【０１４２】
なお、前記第５の実施形態に係る美容装置においては、ヘッド部５２の側面５２ｂに化粧水等を保持できる複数の凹部５２ｅを設け、多孔質被覆体５３を装着したヘッド部５２に対し、保持部５５の各突起５５ｂが凹部５２ｅに多孔質被覆体５３を介在させつつ係合するようにして、保持部５５を取付けることにより、多孔質被覆体５３をヘッド部５２表面に保持する構成としているが、これに限られるものではなく、例えば、図２９に示すように、ヘッド部５２の側面５２ｂに周全体で連続する溝状の凹部５２ｇを設け、この凹部５２ｇで化粧水等を保持して、ヘッド部５２と肌との間に化粧水等を確実に位置させられるようにすると共に、多孔質被覆体５３を用いる場合には、この溝状の凹部５２ｇに保持部５５の突起５５ｂを係合させるようにして（図２９（Ａ）参照）、あるいは保持部５６の内周部分をそのまま凹部５２ｇに係合させるようにして（図２９（Ｂ）参照）、ヘッド部５２に保持部を取付け、多孔質被覆体５３を保持する構成とすることもでき、凹部５２ｇが周方向に連続して広く設けられている分、保持部５５、５６をヘッド部５２へ細かく位置合せすることなく容易に取付けられる。
【０１４３】
また、前記第１ないし第５の各実施形態に係る美容装置においては、イオン導入を行う場合に、保護化粧水を染みこませた多孔質被覆体をヘッド部に被せるように保持し、多孔質被覆体中の化粧水に含まれる有効成分を肌側へ移行させ、肌内に有効成分を浸透させる構成としているが、この他、イオン導入として、保護用化粧水を付けてなじませた状態とした肌に直接ヘッド部を密着させ、体を介した通電状態とし、ヘッド部から肌へ流れる電流で肌表面の化粧水に含まれる有効成分を肌内に浸透させるようにすることもでき、ヘッド部の頂面に複数の小さな凹部を設けた場合は特に、凹部が肌に付けられた化粧水を保持して流れ落ちにくくし、化粧水を有効利用できることと合わせて、通電状態では、ヘッド部から肌へ流れる電流で肌表面の化粧水におけるイオン性の有効成分を適切に肌側へ移行させられ、前記各実施形態の場合と同様、電流によりイオンが浸透しやすい状態となっている肌に、有効成分が深く浸透して確実に美容効果を与えられる。
【０１４４】
また、前記第１ないし第５の各実施形態に係る美容装置においては、ヘッド部と補助電極部間の通電を伴う各美容動作を実行する構成としているが、これに限らず、ヘッド部から他の美容動作、例えばヘッド部から超音波を肌に伝えて肌を刺激する動作や、ヘッド部から肌に温熱による刺激を付与する動作等を実行する構成とすることもでき、ヘッド部を弾性支持すると共に、ヘッド部を傾動可能とし、また必要に応じてヘッド部を回動可能とすることで、いずれの美容動作の場合でも、肌へのヘッド部の密着性、ヘッド部を移動させた時の肌へのヘッド部の追随性を向上させ、且つ肌への負担を低減して、より確実に美容効果を与えられる。
【符号の説明】
【０１４５】
１、２、５                      美容装置
１１、２１                      本体部
１１ａ                          把持部
１１ｂ                          操作部
１１ｃ                          補助電極部
１１ｄ                          モード切替スイッチ
１１ｅ                          電源スイッチ
１２、２２、３２、４２、５２    ヘッド部
１２ａ、３２ａ、４２ａ、５２ａ  頂面
１２ｂ、３２ｂ、４２ｂ、５２ｂ  側面
１２ｃ、３２ｃ、３２ｄ、５２ｃ  縦縁部
１２ｄ、３２ｅ、５２ｄ          横縁部
１２ｆ、５２ｆ                  支点部
１３、５３                      多孔質被覆体
１４                            ばね
１４ａ                          支持軸部
１５、２５、５５、５６          保持部
１５ａ、２５ａ                  開口孔
１５ｂ、５５ｂ                  突起
１６                            制御部
１７                            本体部
１８、１９                      ヘッド部
１９ｂ                          側面
４２ｃ、４２ｄ、４２ｅ、４２ｆ  凹部
４２ｇ、４２ｈ、４２ｉ          凹部
５２ｅ、５２ｇ                  凹部
７０                            肌
８０                            化粧水
【図１】
2015157092.tif 000003
【図２】
2015157092.tif 000004
【図３】
2015157092.tif 000005
【図４】
2015157092.tif 000006
【図５】
2015157092.tif 000007
【図６】
2015157092.tif 000008
【図７】
2015157092.tif 000009
【図８】
2015157092.tif 000010
【図９】
2015157092.tif 000011
【図１０】
2015157092.tif 000012
【図１１】
2015157092.tif 000013
【図１２】
2015157092.tif 000014
【図１３】
2015157092.tif 000015
【図１４】
2015157092.tif 000016
【図１５】
2015157092.tif 000017
【図１６】
2015157092.tif 000018
【図１７】
2015157092.tif 000019
【図１８】
2015157092.tif 000020
【図１９】
2015157092.tif 000021
【図２０】
2015157092.tif 000022
【図２１】
2015157092.tif 000023
【図２２】
2015157092.tif 000024
【図２３】
2015157092.tif 000025
【図２４】
2015157092.tif 000026
【図２５】
2015157092.tif 000027
【図２６】
2015157092.tif 000028
【図２７】
2015157092.tif 000029
【図２８】
2015157092.tif 000030
【図２９】
2015157092.tif 000031
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
本体部の一端側寄りに上方に突出状態で配設されたヘッド部と、本体部の他端側に形成された把持部と、前記ヘッド部の動作状態を調整制御する制御部とを備え、使用者が前記把持部を把持して皮膚に対し前記ヘッド部で所定の美容動作を実行する美容装置において、前記ヘッド部は、縦断面が直線状で横断面が多角形となる側面と、曲面状の頂面とからなる形状であって、把持部側に位置する側面の角部と頂面との交差部における丸み面取り形状の曲率を、把持部と反対側に位置する頂面の縦縁部と側面との交差部における丸み面取り形状の曲率より大きくしたことを特徴とする美容装置。
【請求項２】
前記把持部側に位置する側面の角部は鋭角となることを特徴とする請求項１に記載の美容装置。
【手続補正２】
【補正対象書類名】明細書
【補正対象項目名】０００６
【補正方法】変更
【補正の内容】
【０００６】
前記従来の各種美容機器のヘッド部は、一般に突出方向先端側の円形状とされる先端面を肌に当接させる仕組みとなっており、このヘッド部は円盤状もしくは円柱状である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、ヘッド部を、縦断面が直線状で横断面が多角形となる側面と、曲面状の頂面とからなる形状とし、把持部側と把持部と反対側で丸み面取り形状の曲率を変えて使い勝手の優れた美容装置を提供することを目的とする。
【手続補正６】
【補正対象書類名】明細書
【補正対象項目名】００１０
【補正方法】変更
【補正の内容】
【００１０】
本発明に係る美容装置は、本体部の一端側寄りに上方に突出状態で配設されたヘッド部と、本体部の他端側に形成された把持部と、前記ヘッド部の動作状態を調整制御する制御部とを備え、使用者が前記把持部を把持して皮膚に対し前記ヘッド部で所定の美容動作を実行する美容装置において、前記ヘッド部は、縦断面が直線状で横断面が多角形となる側面と、曲面状の頂面とからなる形状であって、把持部側に位置する側面の角部と頂面との交差部における丸み面取り形状の曲率を、把持部と反対側に位置する頂面の縦縁部と側面との交差部における丸み面取り形状の曲率より大きくしたことを特徴とする。
【手続補正７】
【補正対象書類名】明細書
【補正対象項目名】００１１
【補正方法】変更
【補正の内容】
【００１１】
このように本発明によれば、縦縁部における曲率の小さい丸み面取り形状部分は、ヘッド部の頂面を肌に当接させる際の接触を滑らかなものとして、感触を向上させることができる。
【手続補正８】
【補正対象書類名】明細書
【補正対象項目名】００１２
【補正方法】変更
【補正の内容】
【００１２】
また、本発明に係る美容装置は必要に応じて、前記把持部側に位置する側面の角部は鋭角となるものである。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
【図１】本発明の参考となる第１の実施形態に係る美容装置の斜視図である。
【図２】本発明の参考となる第１の実施形態に係る美容装置の背面図である。
【図３】本発明の参考となる第１の実施形態に係る美容装置のブロック図である。
【図４】本発明の参考となる第１の実施形態に係る美容装置におけるヘッド部の正面図、平面図、及び右側面図である。
【図５】本発明の参考となる第１の実施形態に係る美容装置における保持部の傾動状態説明図である。
【図６】本発明の参考となる第１の実施形態に係る美容装置における保持部の多孔質被覆体保持状態説明図である。
【図７】本発明の参考となる第１の実施形態に係る美容装置におけるヘッド部の弾性支持状態説明図である。
【図８】本発明の参考となる第１の実施形態に係る美容装置におけるヘッド部及び比較例の各肌に対する傾き状態説明図である。
【図９】本発明の参考となる第１の実施形態に係る美容装置におけるヘッド部の多孔質被覆体を介した肌正対状態及び傾き状態の説明図である。
【図１０】本発明の参考となる第１の実施形態に係る美容装置におけるヘッド部の多孔質被覆体を介した肌隅部当接状態説明図である。
【図１１】本発明の参考となる第１の実施形態に係る美容装置における他のヘッド部の正面図、平面図、及び右側面図である。
【図１２】本発明の参考となる第１の実施形態に係る美容装置における他のヘッド部の鼻側部当接状態説明図である。
【図１３】本発明の第２の参考となる実施形態に係る美容装置の斜視図及び正面図である。
【図１４】本発明の第２の参考となる実施形態に係る美容装置の保持部取外し状態右側面図及び収納時における保持部装着状態説明図である。
【図１５】本発明の実施形態となる第３の実施形態に係る美容装置におけるヘッド部の正面図、平面図、及び右側面図である。
【図１６】本発明の参考となる第４の実施形態に係る美容装置におけるヘッド部の斜視図、正面図、及びＡ−Ａ断面図である。
【図１７】本発明の参考となる第４の実施形態に係る美容装置におけるヘッド部と肌間への化粧水保持状態説明図である。
【図１８】本発明の参考となる第４の実施形態に係る美容装置におけるヘッド部の第一の他例の斜視図、正面図、及びＢ−Ｂ断面図である。
【図１９】本発明の参考となる第４の実施形態に係る美容装置におけるヘッド部の第二の他例の斜視図、正面図、及びＣ−Ｃ断面図である。
【図２０】本発明の参考となる第４の実施形態に係る美容装置におけるヘッド部の第三の他例の斜視図、正面図、及び平面図である。
【図２１】本発明の参考となる第４の実施形態に係る美容装置におけるヘッド部の第四の他例の正面図、平面図、及びＤ−Ｄ断面図である。
【図２２】本発明の参考となる第４の実施形態に係る美容装置におけるヘッド部の第五及び第六の他例の各正面図である。
【図２３】本発明の参考となる第５の実施形態に係る美容装置の斜視図である。
【図２４】本発明の参考となる第５の実施形態に係る美容装置におけるヘッド部の正面図、平面図、及び右側面図である。
【図２５】本発明の参考となる第５の実施形態に係る美容装置の多孔質被覆体取付状態の右側面図である。
【図２６】本発明の参考となる第５の実施形態に係る美容装置における保持部の多孔質被覆体保持状態説明図である。
【図２７】本発明の参考となる第５の実施形態に係る美容装置におけるヘッド部の多孔質被覆体を介した肌当接状態及びヘッド部の直接の肌当接状態の各説明図である。
【図２８】本発明の参考となる第５の実施形態に係る美容装置におけるヘッド部の回動状態説明図である。
【図２９】本発明の参考となる第５の実施形態に係る美容装置における他のヘッド部への保持部及び別の保持部による多孔質被覆体の各保持状態説明図である。
【手続補正２３】
【補正対象書類名】明細書
【補正対象項目名】００２７
【補正方法】変更
【補正の内容】
【００２７】
（本発明の参考となる第１の実施形態）
以下、本発明の参考となる第１の実施形態に係る美容装置を前記図１ないし図１０に基づいて説明する。
【手続補正２４】
【補正対象書類名】明細書
【補正対象項目名】００８５
【補正方法】変更
【補正の内容】
【００８５】
（本発明の参考となる第２の実施形態）
前記第１の実施形態に係る美容装置において、保持部１５は本体部１１に対し傾動可能に取付けられて常に一体で取扱われる構成としているが、これに限らず、ヘッド部に沿わせた多孔質被覆体の周縁部を押えるなどして保持できるものであれば、保持部を本体部とは別体として本体部に対し着脱可能にする構造でもよく、例えば、第２の実施形態として、図１３及び図１４に示すように、保持部２５を本体部２１正面側に着脱可能なカバー状とし、且つこの保持部２５の本体部２１へ取付ける向きを使用時と使用していない収納時とで変更可能にする構成とすることもできる。
【手続補正２５】
【補正対象書類名】明細書
【補正対象項目名】００９０
【補正方法】変更
【補正の内容】
【００９０】
（本発明となる第３の実施形態）
前記第１の実施形態に係る美容装置において、ヘッド部１２は略楕円形の頂面１２ａと傾斜した側面１２ｂとを有する略楕円錐台形状とされてなる構成としているが、これに限らず、ヘッド部を例えば、横断面が円形となる円錐台、横断面が長円形となる長円錐台、あるいは、横断面が多角形となる角錐台など、他の錐台形状として形成する構成とすることもできる。
【手続補正２６】
【補正対象書類名】明細書
【補正対象項目名】００９１
【補正方法】変更
【補正の内容】
【００９１】
特に、本発明の実施形態として、図１５に示すように、ヘッド部３２を変形した略角錐台形状とした場合、ヘッド部縦方向寸法を他の円錐台形等の場合と同様に確保しつつ横方向寸法を狭小化でき、縦方向寸法を十分確保することで、ヘッド部３２を横方向に移動させて行うクレンジングやイオン導入等の効率を維持しつつ、装置の小型化、スリム化が図れる。また、ヘッド部３２の頂面を緩やかな曲面状とすると共に、縦方向の両端部の長さをそれぞれ異ならせることで、指状の接触感が得られることとなり、ヘッド部３２を直接又は多孔質被覆体を介して肌に接触させた際の違和感を軽減できる。
【手続補正２７】
【補正対象書類名】明細書
【補正対象項目名】００９３
【補正方法】変更
【補正の内容】
【００９３】
（本発明の参考となる第４の実施形態）
前記第１の実施形態に係る美容装置において、ヘッド部１２の頂面１２ａは緩やかな曲面とされて、特に凹凸を設けない構成としているが、これに限らず、第４の実施形態として、図１６に示すように、ヘッド部４２の頂面４２ａに、開口部分が円形となる小さな凹部４２ｃを複数設ける構成とすることもできる。凹部４２ｃの底面はその中央部で最も深くなる曲面状としており、肌７０に化粧水８０を塗布した状態でヘッド部４２の頂面４２ａを肌７０に直接当てる場合、肌７０と接触せず圧力のかからない凹部４２ｃに化粧水８０を保持でき（図１７参照）、ヘッド部４２と肌７０との間に化粧水８０を位置させたまま通電を行える。
【手続補正２８】
【補正対象書類名】明細書
【補正対象項目名】００９９
【補正方法】変更
【補正の内容】
【００９９】
（本発明の参考となる第５の実施形態）
本発明の参考となる第５の実施形態に係る美容装置を前記図２３ないし図２８に基づいて説明する。